(57)【特許請求の範囲】
【請求項１】
光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、
広角端状態から望遠端状態への変倍の際、前記第３レンズ群が光軸に沿って物体側へ移動し、
以下の条件式を満足することを特徴とするズームレンズ。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
３．０５＜（ｆｗ×ｆｔ）／（ｍｖ３×ｆ３）＜３．７０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量。
【請求項２】
光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、
広角端状態から望遠端状態への変倍の際、前記第３レンズ群が光軸に沿って物体側へ移動し、
以下の条件式を満足することを特徴とするズームレンズ。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
２．８０＜（ｆｗ×ｆｔ）／（ｍｖ３×ｆ３）＜３．７０
０．２０＜ｆ３／（−ｆ４）＜０．６２
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量。
【請求項３】
光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、
広角端状態から望遠端状態への変倍の際、前記第３レンズ群が光軸に沿って物体側へ移動し、
前記第４レンズ群は、１枚の負レンズからなり、
以下の条件式を満足することを特徴とするズームレンズ。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
２．８０＜（ｆｗ×ｆｔ）／（ｍｖ３×ｆ３）＜３．７０
−０．５５４５８≦（Ｒｂ−Ｒａ）／（Ｒｂ＋Ｒａ）≦−０．３００５５
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量、
Ｒａ：前記第４レンズ群を構成する負レンズの物体側のレンズ面の近軸曲率半径、
Ｒｂ：前記第４レンズ群を構成する負レンズの像側のレンズ面の近軸曲率半径。
【請求項４】
光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、前記第１レンズ群と前記第２レンズ群と前記第３レンズ群と前記第４レンズ群とが光軸に沿って移動し、前記第５レンズ群が光軸上に固定され、
広角端状態から望遠端状態への変倍の際、前記第２レンズ群が光軸に沿って像側へ移動し、
以下の条件式を満足することを特徴とするズームレンズ。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆ１：前記第１レンズ群の焦点距離、
ｆ２：前記第２レンズ群の焦点距離、
ｆ４：前記第４レンズ群の焦点距離、
ｆ５：前記第５レンズ群の焦点距離。
【請求項５】
光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、前記第１レンズ群と前記第２レンズ群と前記第３レンズ群と前記第４レンズ群とが光軸に沿って移動し、前記第５レンズ群が光軸上に固定され、
前記第３レンズ群は、光軸に沿って物体側から順に並んだ、単レンズからなる第１正レンズと、接合レンズからなる負レンズと、単レンズからなる第２正レンズとから構成され、
以下の条件式を満足することを特徴とするズームレンズ。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆ１：前記第１レンズ群の焦点距離、
ｆ２：前記第２レンズ群の焦点距離、
ｆ４：前記第４レンズ群の焦点距離、
ｆ５：前記第５レンズ群の焦点距離。
【請求項６】
広角端状態から望遠端状態への変倍の際、前記第３レンズ群が光軸に沿って物体側へ移動し、
以下の条件式を満足することを特徴とする請求項４または５に記載のズームレンズ。
２．８０＜（ｆｗ×ｆｔ）／（ｍｖ３×ｆ３）＜３．７０
但し、
ｆｗ：前記ズームレンズの広角端状態における焦点距離、
ｆ３：前記第３レンズ群の焦点距離、
ｍｖ３：広角端状態から望遠端状態への変倍の際、前記第３レンズ群が光軸に沿って物体側へ移動する移動量。
【請求項７】
以下の条件式を満足することを特徴とする請求項４〜６のいずれか一項に記載のズームレンズ。
０．２０＜ｆ３／（−ｆ４）＜０．６２
但し、
ｆ３：前記第３レンズ群の焦点距離。
【請求項８】
前記第４レンズ群は、１枚の負レンズからなることを特徴とする請求項４〜７のいずれか一項に記載のズームレンズ。
【請求項９】
以下の条件式を満足することを特徴とする請求項８に記載のズームレンズ。
−０．５５４５８≦（Ｒｂ−Ｒａ）／（Ｒｂ＋Ｒａ）≦−０．３００５５
但し、
Ｒａ：前記第４レンズ群を構成する負レンズの物体側のレンズ面の近軸曲率半径、
Ｒｂ：前記第４レンズ群を構成する負レンズの像側のレンズ面の近軸曲率半径。
【請求項１０】
広角端状態から望遠端状態への変倍の際、前記第１レンズ群と前記第２レンズ群との間隔が増加し、前記第２レンズ群と前記第３レンズ群との間隔が減少することを特徴とする請求項１〜９のいずれか一項に記載のズームレンズ。
【請求項１１】
以下の条件式を満足することを特徴とする請求項１〜１０のいずれか一項に記載のズームレンズ。
１．０５＜（−ｆ２）／ｆｗ＜１．４５
但し、
ｆｗ：前記ズームレンズの広角端状態における焦点距離。
【請求項１２】
前記第５レンズ群は、１枚の正レンズからなることを特徴とする請求項１〜１１のいずれか一項に記載のズームレンズ。
【請求項１３】
前記第３レンズ群の最も物体側のレンズは、正の屈折力を有する単レンズであることを特徴とする請求項１〜１２のいずれか一項に記載のズームレンズ。
【請求項１４】
前記第３レンズ群の最も像側のレンズは、正の屈折力を有する単レンズであることを特徴とする請求項１〜１３のいずれか一項に記載のズームレンズ。
【請求項１５】
物体の像を所定の面上に結像させるズームレンズを備えた光学機器であって、
前記ズームレンズが請求項１〜１４のいずれか一項に記載のズームレンズであることを特徴とする光学機器。
【発明の詳細な説明】
【技術分野】
【０００１】
本発明は、デジタルスチルカメラ等に好適なズームレンズおよび光学機器に関する。
【背景技術】
【０００２】
デジタルスチルカメラやデジタルビデオカメラ等の撮影装置（カメラ）には、撮影用レンズとしてズームレンズが多く用いられる。このようなズームレンズとして、小型化を図った種々のズームレンズが提案されている（例えば、特許文献１を参照）。
【先行技術文献】
【特許文献】
【０００３】
【特許文献１】特開２０１２−１５９５８０号公報
【発明の概要】
【発明が解決しようとする課題】
【０００４】
しかしながら、従来のズームレンズは、ズーム範囲の全範囲において良好な光学性能を満足するものではなかった。
【課題を解決するための手段】
【０００５】
第１の発明に係るズームレンズは、光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、広角端状態から望遠端状態への変倍の際、前記第３レンズ群が光軸に沿って物体側へ移動し、以下の条件式を満足している。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
３．０５＜（ｆｗ×ｆｔ）／（ｍｖ３×ｆ３）＜３．７０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量。
第２の発明に係るズームレンズは、光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、広角端状態から望遠端状態への変倍の際、前記第３レンズ群が光軸に沿って物体側へ移動し、以下の条件式を満足している。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
２．８０＜（ｆｗ×ｆｔ）／（ｍｖ３×ｆ３）＜３．７０
０．２０＜ｆ３／（−ｆ４）＜０．６２
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量。
【０００６】
第３の発明に係るズームレンズは、光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、少なくとも前記第１レンズ群と前記第２レンズ群と前記第３レンズ群と前記第４レンズ群とが光軸に沿って移動し、広角端状態から望遠端状態への変倍の際、前記第３レンズ群が光軸に沿って物体側へ移動し、前記第４レンズ群は、１枚の負レンズからなり、以下の条件式を満足している。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
２．８０＜（ｆｗ×ｆｔ）／（ｍｖ３×ｆ３）＜３．７０
−０．５５４５８≦（Ｒｂ−Ｒａ）／（Ｒｂ＋Ｒａ）≦−０．３００５５
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆｗ：前記ズームレンズの広角端状態における焦点距離、
ｆ１：前記第１レンズ群の焦点距離、
ｆ２：前記第２レンズ群の焦点距離、
ｆ３：前記第３レンズ群の焦点距離、
ｆ４：前記第４レンズ群の焦点距離、
ｆ５：前記第５レンズ群の焦点距離、
ｍｖ３：広角端状態から望遠端状態への変倍の際、前記第３レンズ群が光軸に沿って物体側へ移動する移動量、
Ｒａ：前記第４レンズ群を構成する負レンズの物体側のレンズ面の近軸曲率半径、
Ｒｂ：前記第４レンズ群を構成する負レンズの像側のレンズ面の近軸曲率半径。
第４の発明に係るズームレンズは、光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、前記第１レンズ群と前記第２レンズ群と前記第３レンズ群と前記第４レンズ群とが光軸に沿って移動し、前記第５レンズ群が光軸上に固定され、広角端状態から望遠端状態への変倍の際、前記第２レンズ群が光軸に沿って像側へ移動し、以下の条件式を満足している。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆ１：前記第１レンズ群の焦点距離、
ｆ２：前記第２レンズ群の焦点距離、
ｆ４：前記第４レンズ群の焦点距離、
ｆ５：前記第５レンズ群の焦点距離。
第５の発明に係るズームレンズは、光軸に沿って物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍の際、前記第１レンズ群と前記第２レンズ群との間隔が変化し、前記第２レンズ群と前記第３レンズ群との間隔が変化し、前記第３レンズ群と前記第４レンズ群との間隔が変化し、前記第４レンズ群と前記第５レンズ群との間隔が変化するように、前記第１レンズ群と前記第２レンズ群と前記第３レンズ群と前記第４レンズ群とが光軸に沿って移動し、前記第５レンズ群が光軸上に固定され、前記第３レンズ群は、光軸に沿って物体側から順に並んだ、単レンズからなる第１正レンズと、接合レンズからなる負レンズと、単レンズからなる第２正レンズとから構成され、以下の条件式を満足している。
０．０４５＜｛Ｄｔ１−（ＴＬｔ−ＴＬｗ）｝／ｆｔ＜０．０８５
０．６５＜｜ｆ２／（ｆ２＋ｆ１−Ｄｔ１）｜＜０．８６
０．９７＜（−ｆ４）／ｆ５＜１．３０
但し、
Ｄｔ１：望遠端状態における、前記第１レンズ群の最も像側のレンズ面と前記第２レンズ群の最も物体側のレンズ面との光軸上の間隔、
ＴＬｔ：前記ズームレンズの望遠端状態における全長、
ＴＬｗ：前記ズームレンズの広角端状態における全長、
ｆｔ：前記ズームレンズの望遠端状態における焦点距離、
ｆ１：前記第１レンズ群の焦点距離、
ｆ２：前記第２レンズ群の焦点距離、
ｆ４：前記第４レンズ群の焦点距離、
ｆ５：前記第５レンズ群の焦点距離。
【０００７】
また、本発明に係る光学機器は、物体の像を所定の面上に結像させるズームレンズを備えた光学機器であって、前記ズームレンズとして本発明に係るズームレンズを用いている。
【図面の簡単な説明】
【００１０】
【図１】（ａ）は第１実施例に係るズームレンズの広角端状態におけるレンズ構成図であり、（ｂ）および（ｃ）は中間焦点距離状態におけるレンズ構成図であり、（ｄ）は望遠端状態におけるレンズ構成図である。
【図２】（ａ）は第１実施例に係るズームレンズの広角端状態における無限遠合焦時の諸収差図であり、（ｂ）は広角側の中間焦点距離状態における無限遠合焦時の諸収差図である。
【図３】（ａ）は第１実施例に係るズームレンズの望遠側の中間焦点距離状態における無限遠合焦時の諸収差図であり、（ｂ）は望遠端状態における無限遠合焦時の諸収差図である。
【図４】（ａ）は第２実施例に係るズームレンズの広角端状態におけるレンズ構成図であり、（ｂ）および（ｃ）は中間焦点距離状態におけるレンズ構成図であり、（ｄ）は望遠端状態におけるレンズ構成図である。
【図５】（ａ）は第２実施例に係るズームレンズの広角端状態における無限遠合焦時の諸収差図であり、（ｂ）は広角側の中間焦点距離状態における無限遠合焦時の諸収差図である。
【図６】（ａ）は第２実施例に係るズームレンズの望遠側の中間焦点距離状態における無限遠合焦時の諸収差図であり、（ｂ）は望遠端状態における無限遠合焦時の諸収差図である。
【図７】（ａ）は第３実施例に係るズームレンズの広角端状態におけるレンズ構成図であり、（ｂ）および（ｃ）は中間焦点距離状態におけるレンズ構成図であり、（ｄ）は望遠端状態におけるレンズ構成図である。
【図８】（ａ）は第３実施例に係るズームレンズの広角端状態における無限遠合焦時の諸収差図であり、（ｂ）は広角側の中間焦点距離状態における無限遠合焦時の諸収差図である。
【図９】（ａ）は第３実施例に係るズームレンズの望遠側の中間焦点距離状態における無限遠合焦時の諸収差図であり、（ｂ）は望遠端状態における無限遠合焦時の諸収差図である。
【図１０】（ａ）は第４実施例に係るズームレンズの広角端状態におけるレンズ構成図であり、（ｂ）および（ｃ）は中間焦点距離状態におけるレンズ構成図であり、（ｄ）は望遠端状態におけるレンズ構成図である。
【図１１】（ａ）は第４実施例に係るズームレンズの広角端状態における無限遠合焦時の諸収差図であり、（ｂ）は広角側の中間焦点距離状態における無限遠合焦時の諸収差図である。
【図１２】（ａ）は第４実施例に係るズームレンズの望遠側の中間焦点距離状態における無限遠合焦時の諸収差図であり、（ｂ）は望遠端状態における無限遠合焦時の諸収差図である。
【図１３】（ａ）はデジタルスチルカメラの正面図であり、（ｂ）はデジタルスチルカメラの背面図である。
【図１４】図１３（ａ）中の矢印Ａ−Ａ´に沿った断面図である。
【図１５】ズームレンズの製造方法を示すフローチャートである。
【発明を実施するための形態】
【００１１】
以下、本願の好ましい実施形態について図を参照しながら説明する。本願に係るズームレンズを備えたデジタルスチルカメラＣＡＭが図１３および図１４に示されている。図１３において、（ａ）はデジタルスチルカメラＣＡＭの正面図を、（ｂ）はデジタルスチルカメラＣＡＭの背面図をそれぞれ示す。図１４は図１３（ａ）中の矢印Ａ−Ａ´に沿った断面図を示す。
【００１２】
図１３に示すデジタルスチルカメラＣＡＭは、不図示の電源釦を押すと、撮影レンズ（ＺＬ）の不図示のシャッタが開放されて、撮影レンズ（ＺＬ）で被写体（物体）からの光が集光され、図１４に示す像面Ｉに配置された撮像素子Ｃ（例えば、ＣＣＤやＣＭＯＳ等）に結像される。撮像素子Ｃに結像された被写体像は、デジタルスチルカメラＣＡＭの背後に配置された液晶モニターＭに表示される。撮影者は、液晶モニターＭを見ながら被写体像の構図を決めた後、レリーズ釦Ｂ１を押し下げて被写体像を撮像素子で撮影し、不図示のメモリーに記録保存する。
【００１３】
撮影レンズは、後述の実施形態に係るズームレンズＺＬで構成されている。また、デジタルスチルカメラＣＡＭには、被写体が暗い場合に補助光を発光する補助光発光部ＤＬ、撮影レンズ（ズームレンズＺＬ）を広角端状態（Ｗ）から望遠端状態（Ｔ）にズーミング（変倍）する際のワイド（Ｗ）−テレ（Ｔ）釦Ｂ２、およびデジタルスチルカメラＣＡＭの種々の条件設定等に使用するファンクション釦Ｂ３等が配置されている。
【００１４】
ズームレンズＺＬは、例えば図１に示すように、光軸に沿って物体側から順に並んだ、全体として正の屈折力を有する第１レンズ群Ｇ１と、全体として負の屈折力を有する第２レンズ群Ｇ２と、全体として正の屈折力を有する第３レンズ群Ｇ３と、全体として負の屈折力を有する第４レンズ群Ｇ４と、全体として正の屈折力を有する第５レンズ群Ｇ５とを備えたズームレンズである。そして、広角端状態から望遠端状態への変倍（ズーミング）の際、第１レンズ群Ｇ１と第２レンズ群Ｇ２との間隔が変化し、第２レンズ群Ｇ２と第３レンズ群Ｇ３との間隔が変化し、第３レンズ群Ｇ３と第４レンズ群Ｇ４との間隔が変化し、第４レンズ群Ｇ４と第５レンズ群Ｇ５との間隔が変化するように、少なくとも第１レンズ群Ｇ１と第２レンズ群Ｇ２と第３レンズ群Ｇ３と第４レンズ群Ｇ４とが光軸に沿って移動するようになっている。
【００１５】
各レンズ群の機能を大別すると、第１レンズ群Ｇ１は、集光レンズ群であり、物体の像を一次結像させる役割を有している。第２レンズ群Ｇ２は変倍群であり、第３レンズ群Ｇ３は結像群である。第４レンズ群Ｇ４は，変倍に伴う非点隔差の変動を防ぐとともに、拡
大倍率を与えて前玉径の小型化に寄与している。第５レンズ群Ｇ５は、射出瞳を撮像素子Ｃから遠ざけることで、撮像素子Ｃによるシェーディングを防ぐ作用を有している。
【００１６】
なお、広角端状態から望遠端状態への変倍（ズーミング）の際、第１レンズ群Ｇ１と第２レンズ群Ｇ２との間隔が増加し、第２レンズ群Ｇ２と第３レンズ群Ｇ３との間隔が減少することが好ましい。第１レンズ群Ｇ１と第２レンズ群Ｇ２との間隔が増大するように第１レンズ群Ｇ１および第２レンズ群Ｇ２が移動することで、像の拡大を行うことができる。また、第２レンズ群Ｇ２と第３レンズ群Ｇ３との間隔が減少するように第２レンズ群Ｇ２および第３レンズ群Ｇ３が移動することで、結像面の変動を防ぐとともに、第３レンズ群Ｇ３も変倍に寄与することができる。また、ズームレンズＺＬが所定の格納状態になる際、各レンズ群の間隔が減少するように、少なくとも第１レンズ群Ｇ１と第２レンズ群Ｇ２と第３レンズ群Ｇ３と第４レンズ群Ｇ４とが光軸に沿って像側に移動し、さらに第３レンズ群Ｇ３が光軸と略垂直な方向にスライド移動するようになっている。
【００１７】
Ｆナンバーを決定するための絞り（虹彩絞り）Ｓは、第３レンズ群Ｇ３の物体側近傍に配置されていることが望ましい。絞りＳを第３レンズ群Ｇ３の物体側近傍に配置することにより、変倍による光線入射高および光線入射角の変化を小さくすることができる。
【００１８】
このような構成のズームレンズＺＬにおいて、望遠端状態における光学性能を十分に良好なものとしつつ、ズームレンズ全体を小型化するためには、次の条件式（１）で表される条件を満足することが好ましい。
【００１９】
０．０４５＜｛Ｄｔ１−（ＴＬｔ−ＴＬｗ）｝／ｆｔ＜０．０８５  …（１）
但し、
Ｄｔ１：望遠端状態における、第１レンズ群Ｇ１の最も像側のレンズ面と第２レンズ群
Ｇ２の最も物体側のレンズ面との光軸上の間隔、
ＴＬｔ：ズームレンズＺＬの望遠端状態における全長、
ＴＬｗ：ズームレンズＺＬの広角端状態における全長、
ｆｔ：ズームレンズＺＬの望遠端状態における焦点距離。
【００２０】
条件式（１）は、ズーミングによる全長の変化量と、望遠端状態における第１レンズ群Ｇ１と第２レンズ群Ｇ２との間隔の関係について、適切な範囲を規定する条件式である。条件式（１）の上限値を上回る条件である場合、望遠端状態における軸上色収差、倍率色収差、コマ収差の補正が困難となるため好ましくない。一方、条件式（１）の下限値を下回る条件である場合、望遠端状態において第３レンズ群Ｇ３を起因とする球面収差の補正が困難となるため好ましくない。
【００２１】
本実施形態の効果を良好に発揮するために、条件式（１）の下限値を０．０４８にすることが望ましい。また、本実施形態の効果をより良好に発揮するために、条件式（１）の下限値を０．０５０にすることが望ましい。一方、本実施形態の効果を良好に発揮するために、条件式（１）の上限値を０．０８２にすることが望ましい。また、本実施形態の効果をより良好に発揮するために、条件式（１）の上限値を０．０８０にすることが望ましい。
【００２２】
またこのとき、次の条件式（２）で表される条件を満足することが好ましい。
【００２３】
０．６５＜｜ｆ２／（ｆ２＋ｆ１−Ｄｔ１）｜＜０．８６  …（２）
但し、
ｆ１：第１レンズ群Ｇ１の焦点距離、
ｆ２：第２レンズ群Ｇ２の焦点距離。
【００２４】
条件式（２）は、望遠端状態における第１レンズ群Ｇ１と第２レンズ群Ｇ２との間隔と、第１レンズ群Ｇ１および第２レンズ群Ｇ２の各焦点距離の関係について、適切な範囲を規定するための条件式である。条件式（２）の上限値を上回る条件である場合、望遠端状態における第２レンズ群Ｇ２の倍率が増大し、第１レンズ群Ｇ１の収差が拡大される。その結果、望遠端状態における軸上色収差、倍率色収差、球面収差の補正が困難となるため好ましくない。一方、条件式（２）の下限値を下回る条件である場合、望遠端状態における第２レンズ群Ｇ２の倍率が減少し、必然的に第３レンズ群Ｇ３の倍率が増大する。その結果、望遠端状態において第３レンズ群Ｇ３を起因とする球面収差の補正が困難となるため好ましくない。
【００２５】
本実施形態の効果を良好に発揮するために、条件式（２）の下限値を０．６７にすることが望ましい。また、本実施形態の効果をより良好に発揮するために、条件式（２）の下限値を０．６８にすることが望ましい。一方、本実施形態の効果を良好に発揮するために、条件式（２）の上限値を０．８４にすることが望ましい。また、本実施形態の効果をより良好に発揮するために、条件式（２）の上限値を０．８１にすることが望ましい。
【００２６】
またこのとき、次の条件式（３）で表される条件を満足することが好ましい。
【００２７】
０．９７＜（−ｆ４）／ｆ５＜１．３０  …（３）
但し、
ｆ４：第４レンズ群Ｇ４の焦点距離、
ｆ５：第５レンズ群Ｇ５の焦点距離。
【００２８】
条件式（３）は、第４レンズ群Ｇ４と第５レンズ群Ｇ５との焦点距離の比について、適切な範囲を規定するための条件式である。条件式（３）の上限値を上回る条件である場合、ペッツバール和がプラス側に増大し、中間焦点距離状態における像面湾曲と非点隔差を同時に補正することが困難となるため、好ましくない。一方、条件式（３）の下限値を下回る条件である場合、ペッツバール和がマイナス側に減少し、中間焦点距離状態における像面湾曲と非点隔差を同時に補正することが困難となり、また歪曲収差の補正が困難となるため、好ましくない。
【００２９】
本実施形態の効果を良好に発揮するために、条件式（３）の下限値を０．９９にすることが望ましい。また、本実施形態の効果をより良好に発揮するために、条件式（３）の下限値を１．００にすることが望ましい。一方、本実施形態の効果を良好に発揮するために、条件式（３）の上限値を１．２５にすることが望ましい。また、本実施形態の効果をより良好に発揮するために、条件式（３）の上限値を１．２０にすることが望ましい。
【００３０】
このような構成のズームレンズＺＬにおいて、広角端状態から望遠端状態への変倍の際、第３レンズ群Ｇ３が光軸に沿って物体側へ移動し、次の条件式（４）で表される条件を満足することが好ましい。
【００３１】
２．８０＜（ｆｗ×ｆｔ）／（ｍｖ３×ｆ３）＜３．７０  …（４）
但し、
ｆｗ：ズームレンズＺＬの広角端状態における焦点距離、
ｆ３：第３レンズ群Ｇ３の焦点距離、
ｍｖ３：広角端状態から望遠端状態への変倍の際、第３レンズ群Ｇ３が光軸に沿って物体側へ移動する移動量。
【００３２】
条件式（４）は、広角端状態から望遠端状態への変倍に要する第３レンズ群Ｇ３の移動
量と、第３レンズ群Ｇ３の焦点距離の関係について、適切な範囲を規定するための条件式である。条件式（４）の上限値を上回る条件である場合、第３レンズ群Ｇ３の屈折力が著しく強くなる。その結果、中間焦点距離状態における上方コマ収差の補正が困難となり、また望遠端状態における球面収差の補正が困難となるため、好ましくない。一方、条件式（４）の下限値を下回る条件である場合、広角端状態から望遠端状態への変倍の際、第３レンズ群Ｇ３の移動量が著しく大きくなる。その結果、変倍による球面収差の変動が大きくなるため好ましくない。
【００３３】
本実施形態の効果を良好に発揮するために、条件式（４）の下限値を２．９５にすることが望ましい。また、本実施形態の効果をより良好に発揮するために、条件式（４）の下限値を３．０５にすることが望ましい。一方、本実施形態の効果を良好に発揮するために、条件式（４）の上限値を３．６０にすることが望ましい。また、本実施形態の効果をより良好に発揮するために、条件式（４）の上限値を３．５０にすることが望ましい。
【００３４】
このような構成のズームレンズＺＬにおいて、次の条件式（５）で表される条件を満足することが好ましい。
【００３５】
１．０５＜（−ｆ２）／ｆｗ＜１．４５  …（５）
但し、
ｆｗ：ズームレンズＺＬの広角端状態における焦点距離。
【００３６】
条件式（５）は、第２レンズ群Ｇ２の焦点距離と、ズームレンズＺＬの広角端状態における焦点距離との比について、適切な範囲を規定するための条件式である。条件式（５）の上限値を上回る条件である場合、第２レンズ群Ｇ２の屈折力が著しく弱くなり、広角端状態から望遠端状態への変倍の際、第２レンズ群Ｇ２の移動量が大きくなる。この結果、広角端状態において、軸外光束の第２レンズ群Ｇ２を通る位置が光軸からより離れるため、画面最周辺における像面湾曲、非点隔差の補正が困難となり、好ましくない。一方、条件式（５）の下限値を下回る条件である場合、第２レンズ群Ｇ２の屈折力が著しく強くなり、ペッツバール和がマイナス側に減少する。この結果、中間焦点距離状態における像面湾曲と非点隔差を同時に補正することが困難となるため好ましくない。
【００３７】
本実施形態の効果を良好に発揮するために、条件式（５）の下限値を１．０７にすることが望ましい。また、本実施形態の効果をより良好に発揮するために、条件式（５）の下限値を１．１０にすることが望ましい。一方、本実施形態の効果を良好に発揮するために、条件式（５）の上限値を１．４３にすることが望ましい。また、本実施形態の効果をより良好に発揮するために、条件式（５）の上限値を１．４０にすることが望ましい。
【００３８】
このような構成のズームレンズＺＬにおいて、次の条件式（６）で表される条件を満足することが好ましい。
【００３９】
０．２０＜ｆ３／（−ｆ４）＜０．６２  …（６）
但し、
ｆ３：第３レンズ群Ｇ３の焦点距離。
【００４０】
条件式（６）は、第３レンズ群Ｇ３と第４レンズ群Ｇ４との焦点距離の比について、適切な範囲を規定するための条件式である。条件式（６）の上限値を上回る条件である場合、第４レンズ群Ｇ４の屈折力が著しく強くなり、ペッツバール和がマイナス側に減少する。その結果、中間焦点距離状態における像面湾曲と非点隔差を同時に補正することが困難となり、また中間焦点距離状態における歪曲収差の補正が困難となるため、好ましくない。一方、条件式（６）の下限値を下回る条件である場合、第４レンズ群Ｇ４の屈折力が著
しく弱くなり、変倍に伴う非点隔差の変動を補正するという、収差補正上の第４レンズ群Ｇ４の働きが減少する。その結果、中間焦点距離状態における非点隔差の補正が困難となるため好ましくない。
【００４１】
本実施形態の効果を良好に発揮するために、条件式（６）の下限値を０．２５にすることが望ましい。また、本実施形態の効果をより良好に発揮するために、条件式（６）の下限値を０．３０にすることが望ましい。一方、本実施形態の効果を良好に発揮するために、条件式（６）の上限値を０．５９にすることが望ましい。また、本実施形態の効果をより良好に発揮するために、条件式（６）の上限値を０．５６にすることが望ましい。
【００４２】
このような構成のズームレンズＺＬにおいて、第４レンズ群Ｇ４は、１枚の負レンズからなることが好ましい。このように、第４レンズ群Ｇ４を１枚の負レンズで構成することにより、第４レンズ群Ｇ４の厚みを減らすことができ、第４レンズ群Ｇ４の前後の移動スペースを最大限に確保することが可能となる。この結果、中間焦点距離状態における非点隔差を効果的に補正することが可能となる。
【００４３】
またこのとき、次の条件式（７）で表される条件を満足することが好ましい。
【００４４】
−０．５５４５８≦（Ｒｂ−Ｒａ）／（Ｒｂ＋Ｒａ）≦−０．３００５５  …（７）
但し、
Ｒａ：第４レンズ群Ｇ４を構成する負レンズの物体側のレンズ面の近軸曲率半径、
Ｒｂ：第４レンズ群Ｇ４を構成する負レンズの像側のレンズ面の近軸曲率半径。
【００４５】
条件式（７）は、第４レンズ群Ｇ４を構成する負レンズの形状について、適切な範囲を規定するための条件式である。条件式（７）の上限値を上回る条件である場合、広角端状態におけるコマ収差の補正が困難となるため好ましくない。一方、条件式（７）の下限値を下回る条件である場合、中間焦点距離状態における歪曲収差の補正が困難となるため好ましくない。
【００４７】
このような構成のズームレンズＺＬにおいて、第５レンズ群Ｇ５は、１枚の正レンズからなることが好ましい。このように、第５レンズ群Ｇ５を１枚の正レンズで構成することにより、第５レンズ群Ｇ５が薄くなり、第４レンズ群Ｇ４の像側への移動スペースを最大限に確保することが可能となる。その結果、中間焦点距離状態における非点隔差の補正に有利となる。
【００４８】
このような構成のズームレンズＺＬにおいて、広角端状態から望遠端状態への変倍の際、第５レンズ群Ｇ５が光軸上に固定されることが好ましい。このように、広角端状態から望遠端状態への変倍の際、第５レンズ群Ｇ５を固定することで、第５レンズ群Ｇ５の移動に起因する射出瞳位置の変動を防ぐことができる。また、ズームレンズＺＬの鏡筒構造を簡略化し、鏡筒の小型化に寄与することができる。
【００４９】
このような構成のズームレンズＺＬにおいて、第３レンズ群Ｇ３の最も物体側のレンズは、正の屈折力を有する単レンズであることが好ましい。第３レンズ群Ｇ３には第２レンズ群Ｇ２で発散した光束が入射するため、第３レンズ群Ｇ３の最も物体側のレンズに強い
正のパワーを集中させ、発散光束を収斂させる必要がある。そのため、第３レンズ群Ｇ３の最も物体側に正の屈折力を有する単レンズを配置することで、球面収差を悪化させることなく発散光束を収斂させることができる。
【００５０】
このような構成のズームレンズＺＬにおいて、第３レンズ群Ｇ３の最も像側のレンズは、正の屈折力を有する単レンズであることが好ましい。第３レンズ群Ｇ３の最も像側に正の屈折力を有する単レンズを配置することで、第３レンズ群Ｇ３に起因するコマ収差や非点隔差を良好に補正し、第４レンズ群Ｇ４との色収差の補正バランスを良好に保つことが可能となる。
【００５１】
このような構成のズームレンズＺＬにおいて、第３レンズ群Ｇ３は、光軸に沿って物体側から順に並んだ、単レンズからなる第１正レンズと、単レンズもしくは接合レンズからなる負レンズと、単レンズからなる第２正レンズとから構成されることが好ましい。このような構成にすることで、中間焦点距離状態におけるコマ収差や像面湾曲を良好に補正することができる。なお、第３レンズ群Ｇ３の負レンズは、接合レンズからなる負レンズであることがより好ましい。負レンズの構成を接合レンズとすることで、球面収差や色収差をより良好に補正することが可能となる。
【００５２】
このように、本実施形態によれば、小型でありながら、広角端状態から望遠端状態までのズーム範囲で良好な光学性能を有したズームレンズＺＬおよび光学機器（デジタルスチルカメラＣＡＭ）を得ることが可能になる。なお、無限遠物体から至近距離物体（有限距離物体）へのフォーカシングは、第４レンズ群Ｇ４を像側へ移動させることにより行うことが好ましい。また、第１レンズ群Ｇ１もしくは第５レンズ群Ｇ５を物体側へ移動させてフォーカシングを行うことも可能である。
【００５３】
ここで、上述のような構成のズームレンズＺＬの製造方法について、図１５を参照しながら説明する。まず、円筒状の鏡筒内に、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを組み込む（ステップＳＴ１０）。そして、第１レンズ群Ｇ１、第２レンズ群Ｇ２、第３レンズ群Ｇ３、および第４レンズ群Ｇ４を光軸に沿って移動させることにより、広角端状態から望遠端状態への変倍（ズーミング）が行われるように、第１レンズ群Ｇ１、第２レンズ群Ｇ２、第３レンズ群Ｇ３、および第４レンズ群Ｇ４を駆動可能に構成する（ステップＳＴ２０）。
【００５４】
レンズの組み込みを行うステップＳＴ１０において、上述した所定の条件式を満足するように、第１レンズ群Ｇ１、第２レンズ群Ｇ２、第３レンズ群Ｇ３、第４レンズ群Ｇ４、および第５レンズ群Ｇ５を配置する。このような製造方法によれば、小型でありながら、広角端状態から望遠端状態までのズーム範囲で良好な光学性能を有したズームレンズＺＬを得ることができる。
【実施例】
【００５５】
（第１実施例）
以下、本願の各実施例を添付図面に基づいて説明する。まず、本願の第１実施例について図１〜図３および表１を用いて説明する。図１（ａ）は第１実施例に係るズームレンズＺＬ（ＺＬ１）の広角端状態におけるレンズ構成図であり、図１（ｂ）は広角側の中間焦点距離状態におけるレンズ構成図である。また、図１（ｃ）は望遠側の中間焦点距離状態におけるレンズ構成図であり、図１（ｄ）は望遠端状態におけるレンズ構成図である。第１実施例に係るズームレンズＺＬ１は、光軸に沿って物体側から順に並んだ、全体として正の屈折力を有する第１レンズ群Ｇ１と、全体として負の屈折力を有する第２レンズ群Ｇ
２と、全体として正の屈折力を有する第３レンズ群Ｇ３と、全体として負の屈折力を有する第４レンズ群Ｇ４と、全体として正の屈折力を有する第５レンズ群Ｇ５とから構成される。
【００５６】
そして、広角端状態から望遠端状態への変倍（ズーミング）の際、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿って移動し、第５レンズ群Ｇ５が光軸上に固定されるように構成される。より詳しくは、ズーミングの際、第１レンズ群Ｇ１が光軸に沿って僅かに像面Ｉ側へ移動してから単調に物体側へ移動し、第２レンズ群Ｇ２が光軸に沿って単調に像面Ｉ側へ移動し、第３レンズ群Ｇ３が光軸に沿って単調に物体側へ移動し、第４レンズ群Ｇ４が光軸に沿って一旦像面Ｉ側へ移動してから物体側へ移動するように構成される。
【００５７】
第１レンズ群Ｇ１は、光軸に沿って物体側から順に並んだ、接合レンズである第１正レンズＬ１１と、物体側に凸面を向けたメニスカス形状の第２正レンズＬ１２とから構成される。第１レンズ群Ｇ１において、第１正レンズＬ１１は、物体側に凸面を向けたメニスカス形状の負レンズと、両凸形状の正レンズとが接合された接合レンズとなっている。第２レンズ群Ｇ２は、光軸に沿って物体側から順に並んだ、物体側に凸面を向けたメニスカス形状の第１負レンズＬ２１と、両凹形状の第２負レンズＬ２２と、両凸形状の正レンズＬ２３と、両凹形状の第３負レンズＬ２４とから構成される。第２レンズ群Ｇ２において、第１負レンズＬ２１における物体側のレンズ面が非球面となっている。
【００５８】
第３レンズ群Ｇ３は、光軸に沿って物体側から順に並んだ、両凸形状の第１正レンズＬ３１と、接合レンズである負レンズＬ３２と、両凸形状の第２正レンズＬ３３とから構成される。第３レンズ群Ｇ３において、第１正レンズＬ３１における両側のレンズ面が非球面となっている。また、負レンズＬ３２は、両凸形状の正レンズと両凹形状の負レンズとが接合された接合レンズとなっている。なお、第１正レンズＬ３１および第２正レンズＬ３３は単レンズである。
【００５９】
第４レンズ群Ｇ４は、物体側に凸面を向けたメニスカス形状の負レンズＬ４１のみから構成される。第５レンズ群Ｇ５は、物体側に凸面を向けたメニスカス形状の正レンズＬ５１のみから構成される。第５レンズ群Ｇ５において、正レンズＬ５１における物体側のレンズ面が非球面となっている。なお、無限遠物体から至近距離物体（有限距離物体）へのフォーカシングは、第４レンズ群Ｇ４を光軸に沿って像面Ｉ側へ移動させることにより行う。
【００６０】
Ｆナンバーを決定する絞りＳは、第２レンズ群Ｇ２と第３レンズ群Ｇ３との間（第３レンズ群Ｇ３の物体側近傍）に配置されており、広角端状態から望遠端状態への変倍（ズーミング）の際、第３レンズ群Ｇ３と同一軌道で移動するようになっている。また、第５レンズ群Ｇ５と像面Ｉとの間に配置されたフィルタ群ＦＬは、ローパスフィルタや赤外カットフィルタ等から構成されている。
【００６１】
以下に、表１〜表４を示すが、これらは第１〜第４実施例に係るズームレンズの諸元の値をそれぞれ掲げた表である。各表の［全体諸元］には、広角端状態、広角側中間焦点距離状態、望遠側中間焦点距離状態、望遠端状態の各状態におけるズームレンズＺＬの焦点距離ｆ、ＦナンバーＦno、画角２ω、絞りＳの内径φ、最大像高Ｙmaxの値をそれぞれ示
す。また、［レンズ諸元］において、第１カラム（面番号）は物体側から数えた際のレンズ面の番号を、第２カラムＲはレンズ面の曲率半径を、第３カラムＤはレンズ面の光軸上
の間隔を、第４カラムｎｄはｄ線（波長λ＝５８７．６ｎｍ）に対する屈折率を、第５カラムνｄはｄ線（波長λ＝５８７．６ｎｍ）に対するアッベ数をそれぞれ示している。なお、第１カラム（面番号）の右に付した*は、そのレンズ面が非球面であることを示す。
また、曲率半径「∞」は平面を示し、空気の屈折率ｎｄ＝1.000000はその記載を省略している。
【００６２】
［非球面データ］において示す非球面係数は、光軸に垂直な方向の高さをｙとし、高さｙにおける各非球面の頂点の接平面から各非球面までの光軸に沿った距離（サグ量）をＸ（ｙ）とし、近軸曲率半径（基準球面の曲率半径）をＲとし、円錐定数をκとし、ｎ次（ｎ＝４，６，８，１０）の非球面係数をＡnとしたとき、次式（Ａ）で表される。なお、
各実施例において、２次の非球面係数Ａ2は０であり、記載を省略している。また、［非
球面データ］において、「E-n」は「×１０-n」を示す。
【００６３】
Ｘ（ｙ）＝（ｙ2／Ｒ）／｛１＋（１−κ×ｙ2／Ｒ2）1/2｝
＋Ａ4×ｙ4＋Ａ6×ｙ6＋Ａ8×ｙ8＋Ａ10×ｙ10    …（Ａ）
【００６４】
［可変間隔データ］には、広角端状態、広角側中間焦点距離状態、望遠側中間焦点距離状態、望遠端状態の各状態（無限遠合焦時）におけるズームレンズＺＬの焦点距離ｆ、可変間隔、バックフォーカスＢＦ、全長ＴＬ（ズームレンズＺＬの最初の光学面から最終の光学面（像面Ｉ）までの長さ）の値をそれぞれ示す。［レンズ群焦点距離］には、各レンズ群の焦点距離の値をそれぞれ示す。［条件式対応値］には、各条件式の対応値を示す。
【００６５】
なお、以下の全ての諸元値において掲載されている焦点距離ｆ、曲率半径Ｒ、その他の長さの単位は一般に「mm」が使われるが、光学系は、比例拡大または比例縮小しても同等の光学性能が得られるので、これに限られるものではない。また、後述の第２〜第３実施例の諸元値においても、本実施例と同様の符号を用いる。
【００６６】
下の表１に、第１実施例における各諸元を示す。なお、表１における第１面〜第２５面の曲率半径Ｒは、図１（ａ）における第１面〜第２５面に付した符号Ｒ１〜Ｒ２５に対応している。また、表１における群番号Ｇ１〜Ｇ５は、図１における各レンズ群Ｇ１〜Ｇ５に対応している。また、第１実施例において、第６面、第１５面、第１６面、および第２４面の各レンズ面は非球面形状に形成されている。
【００６７】
（表１）
［全体諸元］
ズーム比＝32.91
広角端状態  広角側中間焦点距離状態  望遠側中間焦点距離状態  望遠端状態
ｆ        4.43               12.82               46.29              145.79
Ｆno      3.44                4.53                5.56                6.81
２ω     88.41°             34.29°              9.58°              3.12°
φ        6.48                6.48                6.48                6.48
Ｙmax     3.45                4.05                4.05                4.05
［レンズ諸元］
面番号      Ｒ            Ｄ          ｎｄ        νｄ
1        75.8791      0.8500      1.95375      32.31
2        38.5092      3.7500      1.49782      82.57
3      -162.1422      0.1000
4        36.2977      2.8000      1.60300      65.44
5       261.7175        D1
6*      110.2661      0.5000      1.85135      40.10
7         6.3205      3.5500
8       -13.0779      0.5000      1.74100      52.77
9       102.2099      0.1000
10       15.4967      1.8000      1.92286      20.88
11      -35.5862      0.3500
12      -19.5000      0.5000      1.83481      42.73
13      178.9893        D2
14        ∞          0.6000                            （絞り）
15*       6.8034      2.1000      1.58913      61.24
16*     -35.6481      0.3000
17       12.4850      1.6500      1.49782      82.57
18      -26.2754      0.4000      1.88100      40.15
19        6.5237      0.4500
20       12.1655      2.0500      1.4978       82.57
21      -11.9673        D3
22       14.9385      0.7500      1.49782      82.57
23        6.6925        D4
24*      12.4000      1.8500      1.53113      55.90
25      200.0000        D5
26        ∞          0.2100      1.5168       63.88
27        ∞          0.4500
28        ∞          0.5000      1.5168       63.88
29        ∞            BF
［非球面データ］
第６面
κ=1.0000,A4=-1.04372E-05,A6=-1.25398E-07,A8=-8.83124E-09,A10=1.21173E-10
第１５面
κ=0.7401,A4=-1.18396E-04,A6=0.00000E+00,A8=0.00000E+00,A10=0.00000E+00
第１６面
κ=1.0000,A4=2.15942E-04,A6=-9.57104E-07,A8=0.00000E+00,A10=0.00000E+00
第２４面
κ=4.6000,A4=0.00000E+00,A6=0.00000E+00,A8=0.00000E+00,A10=0.00000E+00
［可変間隔データ］
広角端状態  広角側中間焦点距離状態  望遠側中間焦点距離状態  望遠端状態
（無限遠）          （無限遠）          （無限遠）          （無限遠）
ｆ        4.43               12.82               46.29              145.79
Ｄ１      0.5000             11.6914             31.9714             40.4914
Ｄ２     25.7500             10.7500              5.4000              1.4913
Ｄ３      2.7441             10.8441             17.7441             13.2256
Ｄ４      9.8356              7.6102              6.5247             15.6000
Ｄ５      0.6000              0.6000              0.6000              0.6000
ＢＦ      0.4000              0.4000              0.4000              0.4000
ＴＬ     65.9396             68.0056             88.7502             97.9183
［レンズ群焦点距離］
群番号        群初面        群焦点距離（ｆ１〜ｆ５）
G1            1            55.19
G2            6            -6.03
G3           15            11.81
G4           22           -25.11
G5           24            24.80
［条件式対応値］
条件式（１）  ｛Ｄｔ１−（ＴＬｔ−ＴＬｗ）｝／ｆｔ＝0.05839
条件式（２）  ｜ｆ２／（ｆ２＋ｆ１−Ｄｔ１）｜＝0.69660
条件式（３）  （−ｆ４）／ｆ５＝1.01245
条件式（４）  （ｆｗ×ｆｔ）／（ｍｖ３×ｆ３）＝3.36252
条件式（５）  （−ｆ２）／ｆｗ＝1.36331
条件式（６）  ｆ３／（−ｆ４）＝0.47034
条件式（７）  （Ｒｂ−Ｒａ）／（Ｒｂ＋Ｒａ）＝-0.38121
【００６８】
このように本実施例では、上記条件式（１）〜（７）が全て満たされていることが分かる。
【００６９】
図２および図３は、第１実施例に係るズームレンズＺＬ１の諸収差図である。ここで、図２（ａ）は広角端状態（ｆ＝４．４３ｍｍ）における無限遠合焦時の諸収差図であり、図２（ｂ）は広角側の中間焦点距離状態（ｆ＝１２．８２ｍｍ）における無限遠合焦時の諸収差図である。また、図３（ａ）は望遠側の中間焦点距離状態（ｆ＝４６．２９ｍｍ）における無限遠合焦時の諸収差図であり、図３（ｂ）は望遠端状態（ｆ＝１４５．７９ｍｍ）における無限遠合焦時の諸収差図である。各収差図において、ＦＮＯはＦナンバーを、Ｙは最大像高を、ωは半画角をそれぞれ示す。また、各収差図において、ｄはｄ線（λ＝５８７．６ｎｍ）、ｇはｇ線（λ＝４３５．８ｎｍ）における収差をそれぞれ示す。また、非点収差を示す収差図において、実線はサジタル像面を示し、破線はメリディオナル像面を示している。以上、収差図の説明は他の実施例においても同様である。
【００７０】
そして、各収差図より、第１実施例では、広角端状態から望遠端状態までの各焦点距離状態において諸収差が良好に補正され、優れた光学性能を有していることがわかる。その結果、第１実施例のズームレンズＺＬ１を搭載することにより、デジタルスチルカメラＣＡＭにおいても、優れた光学性能を確保することができる。
【００７１】
（第２実施例）
以下、本願の第２実施例について図４〜図６および表２を用いて説明する。図４（ａ）は第２実施例に係るズームレンズＺＬ（ＺＬ２）の広角端状態におけるレンズ構成図であり、図４（ｂ）は広角側の中間焦点距離状態におけるレンズ構成図である。また、図４（ｃ）は望遠側の中間焦点距離状態におけるレンズ構成図であり、図４（ｄ）は望遠端状態におけるレンズ構成図である。第２実施例に係るズームレンズＺＬ２は、光軸に沿って物体側から順に並んだ、全体として正の屈折力を有する第１レンズ群Ｇ１と、全体として負の屈折力を有する第２レンズ群Ｇ２と、全体として正の屈折力を有する第３レンズ群Ｇ３と、全体として負の屈折力を有する第４レンズ群Ｇ４と、全体として正の屈折力を有する第５レンズ群Ｇ５とから構成される。
【００７２】
そして、広角端状態から望遠端状態への変倍（ズーミング）の際、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿って移動し、第５レンズ群Ｇ５が光軸上に固定されるように構成される。より詳しくは、ズーミングの際、第１レンズ群Ｇ１が光軸に沿って僅かに像面Ｉ側へ移動してから単調に物体側へ移動し、第２レンズ群Ｇ２が光軸に沿って単調に像面Ｉ側へ移動し、第３レンズ群Ｇ３が光軸に沿って単調に物体側へ移動し、第４レンズ群Ｇ４が光軸に沿って一旦像面Ｉ側へ移動してから物体側へ移動するように構成される。
【００７３】
第１レンズ群Ｇ１は、光軸に沿って物体側から順に並んだ、接合レンズである第１正レンズＬ１１と、物体側に凸面を向けたメニスカス形状の第２正レンズＬ１２とから構成される。第１レンズ群Ｇ１において、第１正レンズＬ１１は、物体側に凸面を向けたメニスカス形状の負レンズと、両凸形状の正レンズとが接合された接合レンズとなっている。第２レンズ群Ｇ２は、光軸に沿って物体側から順に並んだ、両凹形状の第１負レンズＬ２１と、両凹形状の第２負レンズＬ２２と、物体側に凸面を向けたメニスカス形状の正レンズＬ２３とから構成される。
【００７４】
第３レンズ群Ｇ３は、光軸に沿って物体側から順に並んだ、両凸形状の第１正レンズＬ３１と、接合レンズである負レンズＬ３２と、両凸形状の第２正レンズＬ３３とから構成される。第３レンズ群Ｇ３において、第１正レンズＬ３１における両側のレンズ面が非球面となっている。また、負レンズＬ３２は、物体側に凸面を向けたメニスカス形状の正レンズと、物体側に凸面を向けたメニスカス形状の負レンズとが接合された接合レンズとなっている。なお、第１正レンズＬ３１および第２正レンズＬ３３は単レンズである。
【００７５】
第４レンズ群Ｇ４は、物体側に凸面を向けたメニスカス形状の負レンズＬ４１のみから構成される。第４レンズ群Ｇ４において、負レンズＬ４１における像面Ｉ側のレンズ面が非球面となっている。第５レンズ群Ｇ５は、両凸形状の正レンズＬ５１のみから構成される。第５レンズ群Ｇ５において、正レンズＬ５１における物体側のレンズ面が非球面となっている。なお、無限遠物体から至近距離物体（有限距離物体）へのフォーカシングは、第４レンズ群Ｇ４を光軸に沿って像面Ｉ側へ移動させることにより行う。
【００７６】
Ｆナンバーを決定する絞りＳは、第２レンズ群Ｇ２と第３レンズ群Ｇ３との間（第３レンズ群Ｇ３の物体側近傍）に配置されており、広角端状態から望遠端状態への変倍（ズーミング）の際、第３レンズ群Ｇ３と同一軌道で移動するようになっている。また、第５レンズ群Ｇ５と像面Ｉとの間に配置されたフィルタ群ＦＬは、ローパスフィルタや赤外カットフィルタ等から構成されている。
【００７７】
下の表２に、第２実施例における各諸元を示す。なお、表２における第１面〜第２３面の曲率半径Ｒは、図４（ａ）における第１面〜第２３面に付した符号Ｒ１〜Ｒ２３に対応している。また、表２における群番号Ｇ１〜Ｇ５は、図４における各レンズ群Ｇ１〜Ｇ５に対応している。また、第２実施例において、第１３面、第１４面、第２１面、および第２２面の各レンズ面は非球面形状に形成されている。
【００７８】
（表２）
［全体諸元］
ズーム比＝17.04
広角端状態  広角側中間焦点距離状態  望遠側中間焦点距離状態  望遠端状態
ｆ        4.64               11.16               31.05               79.05
Ｆno      3.68                4.57                5.58                6.86
２ω     85.93°             36.38°             13.21°              5.30°
φ        4.92                4.92                4.92                4.92
Ｙmax     3.62                3.85                3.85                3.85
［レンズ諸元］
面番号      Ｒ            Ｄ          ｎｄ        νｄ
1        64.7076      0.6000      1.78472      25.64
2        24.0242      2.7000      1.62299      58.12  
3      -135.0000      0.1000
4        23.8622      1.7000      1.62299      58.12
5       100.5962        D1
6      -121.9392      0.3000      1.78800      47.35
7         5.1337      2.8000
8       -12.8951      0.4000      1.75500      52.34
9        30.8784      0.1000
10       11.8559      1.1000      1.94595      17.98
11       61.6999        D2
12        ∞          0.9000                            （絞り）
13*       5.0166      1.8000      1.61881      63.86
14*     -39.5510      0.3500
15       12.2113      0.9500      1.48749      70.31
16       38.3628      0.3000      1.91082      35.25
17        4.4816      0.3500
18        7.2481      1.6000      1.48749      70.31
19      -14.9673        D3
20       24.6068      0.7000      1.53113      55.90
21*       7.0504        D4
22*       9.8000      2.1000      1.53113      55.90
23     -200.0000        D5
24        ∞          0.2100      1.5168       63.88
25        ∞          0.4500
26        ∞          0.5000      1.5168       63.88
27        ∞            BF
［非球面データ］
第１３面
κ=0.6500,A4=-2.18344E-04,A6=4.68019E-07,A8=0.00000E+00,A10=0.00000E+00
第１４面
κ=-50.000,A4=2.71100E-04,A6=8.91012E-07,A8=0.00000E+00,A10=0.00000E+00
第２１面
κ=1.4603,A4=0.00000E+00,A6=0.00000E+00,A8=0.00000E+00,A10=0.00000E+00
第２２面
κ=1.9000,A4=1.15000E-04,A6=0.00000E+00,A8=2.00000E-07,A10=0.00000E+00
［可変間隔データ］
広角端状態  広角側中間焦点距離状態  望遠側中間焦点距離状態  望遠端状態
（無限遠）          （無限遠）          （無限遠）          （無限遠）
ｆ        4.64               11.16               31.05               79.05
Ｄ１      0.5500              6.7837             15.9837             21.1500
Ｄ２     17.9000              8.6200              4.1526              1.0000
Ｄ３      3.9460              9.2960             13.8460             11.2960
Ｄ４      5.7559              4.3249              4.1500             10.1957
Ｄ５      0.3000              0.3000              0.3000              0.3000
ＢＦ      0.4000              0.4000              0.4000              0.4000
ＴＬ     48.7619             49.6346             58.7423             64.2518
［レンズ群焦点距離］
群番号        群初面        群焦点距離（ｆ１〜ｆ５）
G1            1            33.51
G2            6            -5.42
G3           13             9.74
G4           20           -18.87
G5           22            17.65
［条件式対応値］
条件式（１）  ｛Ｄｔ１−（ＴＬｔ−ＴＬｗ）｝／ｆｔ＝0.07160
条件式（２）  ｜ｆ２／（ｆ２＋ｆ１−Ｄｔ１）｜＝0.78238
条件式（３）  （−ｆ４）／ｆ５＝1.06886
条件式（４）  （ｆｗ×ｆｔ）／（ｍｖ３×ｆ３）＝3.19207
条件式（５）  （−ｆ２）／ｆｗ＝1.16999
条件式（６）  ｆ３／（−ｆ４）＝0.51628
条件式（７）  （Ｒｂ−Ｒａ）／（Ｒｂ＋Ｒａ）＝-0.55458
【００７９】
このように本実施例では、上記条件式（１）〜（７）が全て満たされていることが分かる。
【００８０】
図５および図６は、第２実施例に係るズームレンズＺＬ２の諸収差図である。ここで、図５（ａ）は広角端状態（ｆ＝４．６４ｍｍ）における無限遠合焦時の諸収差図であり、図５（ｂ）は広角側の中間焦点距離状態（ｆ＝１１．１６ｍｍ）における無限遠合焦時の諸収差図である。また、図６（ａ）は望遠側の中間焦点距離状態（ｆ＝３１．０５ｍｍ）における無限遠合焦時の諸収差図であり、図６（ｂ）は望遠端状態（ｆ＝７９．０５ｍｍ）における無限遠合焦時の諸収差図である。そして、各収差図より、第２実施例では、広角端状態から望遠端状態までの各焦点距離状態において諸収差が良好に補正され、優れた光学性能を有していることがわかる。その結果、第２実施例のズームレンズＺＬ２を搭載することにより、デジタルスチルカメラＣＡＭにおいても、優れた光学性能を確保することができる。
【００８１】
（第３実施例）
以下、本願の第３実施例について図７〜図９および表３を用いて説明する。図７（ａ）は第３実施例に係るズームレンズＺＬ（ＺＬ３）の広角端状態におけるレンズ構成図であり、図７（ｂ）は広角側の中間焦点距離状態におけるレンズ構成図である。また、図７（ｃ）は望遠側の中間焦点距離状態におけるレンズ構成図であり、図７（ｄ）は望遠端状態におけるレンズ構成図である。第３実施例に係るズームレンズＺＬ３は、光軸に沿って物体側から順に並んだ、全体として正の屈折力を有する第１レンズ群Ｇ１と、全体として負の屈折力を有する第２レンズ群Ｇ２と、全体として正の屈折力を有する第３レンズ群Ｇ３と、全体として負の屈折力を有する第４レンズ群Ｇ４と、全体として正の屈折力を有する第５レンズ群Ｇ５とから構成される。
【００８２】
そして、広角端状態から望遠端状態への変倍（ズーミング）の際、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿って移動し、第５レンズ群Ｇ５が光軸上に固定されるように構成される。より詳しくは、ズーミングの際、第１レンズ群Ｇ１が光軸に沿って僅かに像面Ｉ側へ移動してから単調に物体側へ移動し、第２レンズ群Ｇ２が光軸に沿って単調に像面Ｉ側へ移動し、第３レンズ群Ｇ３が光軸に沿って単調に物体側へ移動し、第４レンズ群Ｇ４が光軸に沿って一旦像面Ｉ側へ移動してから物体側へ移動するように構成される。
【００８３】
第１レンズ群Ｇ１は、光軸に沿って物体側から順に並んだ、接合レンズである第１正レンズＬ１１と、物体側に凸面を向けたメニスカス形状の第２正レンズＬ１２とから構成される。第１レンズ群Ｇ１において、第１正レンズＬ１１は、物体側に凸面を向けたメニスカス形状の負レンズと、両凸形状の正レンズとが接合された接合レンズとなっている。第２レンズ群Ｇ２は、光軸に沿って物体側から順に並んだ、両凹形状の第１負レンズＬ２１と、両凹形状の第２負レンズＬ２２と、物体側に凸面を向けたメニスカス形状の正レンズ
Ｌ２３とから構成される。
【００８４】
第３レンズ群Ｇ３は、光軸に沿って物体側から順に並んだ、両凸形状の第１正レンズＬ３１と、接合レンズである負レンズＬ３２と、両凸形状の第２正レンズＬ３３とから構成される。第３レンズ群Ｇ３において、第１正レンズＬ３１における両側のレンズ面が非球面となっている。また、負レンズＬ３２は、物体側に凸面を向けたメニスカス形状の正レンズと、物体側に凸面を向けたメニスカス形状の負レンズとが接合された接合レンズとなっている。なお、第１正レンズＬ３１および第２正レンズＬ３３は単レンズである。
【００８５】
第４レンズ群Ｇ４は、物体側に凸面を向けたメニスカス形状の負レンズＬ４１のみから構成される。第４レンズ群Ｇ４において、負レンズＬ４１における像面Ｉ側のレンズ面が非球面となっている。第５レンズ群Ｇ５は、物体側に凸面を向けたメニスカス形状の正レンズＬ５１のみから構成される。第５レンズ群Ｇ５において、正レンズＬ５１における物体側のレンズ面が非球面となっている。なお、無限遠物体から至近距離物体（有限距離物体）へのフォーカシングは、第４レンズ群Ｇ４を光軸に沿って像面Ｉ側へ移動させることにより行う。
【００８６】
Ｆナンバーを決定する絞りＳは、第２レンズ群Ｇ２と第３レンズ群Ｇ３との間（第３レンズ群Ｇ３の物体側近傍）に配置されており、広角端状態から望遠端状態への変倍（ズーミング）の際、第３レンズ群Ｇ３と同一軌道で移動するようになっている。また、第５レンズ群Ｇ５と像面Ｉとの間に配置されたフィルタ群ＦＬは、ローパスフィルタや赤外カットフィルタ等から構成されている。
【００８７】
下の表３に、第３実施例における各諸元を示す。なお、表３における第１面〜第２３面の曲率半径Ｒは、図７（ａ）における第１面〜第２３面に付した符号Ｒ１〜Ｒ２３に対応している。また、表３における群番号Ｇ１〜Ｇ５は、図７における各レンズ群Ｇ１〜Ｇ５に対応している。また、第３実施例において、第１３面、第１４面、第２１面、および第２２面の各レンズ面は非球面形状に形成されている。
【００８８】
（表３）
［全体諸元］
ズーム比＝17.46
広角端状態  広角側中間焦点距離状態  望遠側中間焦点距離状態  望遠端状態
ｆ        4.61               11.41               28.53               80.50
Ｆno      3.46                4.50                5.45                6.82
２ω     86.50°             35.97°             14.48°              5.27°
φ        4.98                4.98                4.98                4.98
Ｙmax     3.55                3.85                3.85                3.85
［レンズ諸元］
面番号      Ｒ            Ｄ          ｎｄ        νｄ
1        50.4102      0.6000      1.80518      25.45
2        23.6119      2.6500      1.61800      63.34
3      -256.1139      0.1000
4        25.4629      1.6500      1.62299      58.12
5       125.7527        D1
6       -95.2001      0.4000      1.80400      46.60
7         5.2797      2.8000
8       -12.4167      0.4000      1.58913      61.22
9        24.2391      0.1000
10       10.7867      1.1000      1.94595      17.98
11       30.6104        D2
12        ∞         -0.4000                            （絞り）
13*       5.0166      1.7000      1.61881      63.86
14*     -51.4844      0.3500
15       12.5898      1.0000      1.51823      58.82
16       53.7816      0.3000      1.91082      35.25
17        4.4756      0.3000
18        6.6314      1.5500      1.48749      70.31
19      -12.1952        D3
20       12.5010      0.7000      1.53113      55.90
21*       6.3010        D4
22*      11.3000      2.0500      1.53113      55.90
23      166.1631        D5
24        ∞          0.2100      1.5168       63.88
25        ∞          0.3500
26        ∞          0.5000      1.5168       63.88
27        ∞            BF
［非球面データ］
第１３面
κ=0.6686,A4=-2.41113E-04,A6=0.00000E+00,A8=0.00000E+00,A10=0.00000E+00
第１４面
κ=-50.00,A4=2.98049E-04,A6=0.00000E+00,A8=0.00000E+00,A10=0.00000E+00
第２１面
κ=1.1782,A4=0.00000E+00,A6=0.00000E+00,A8=0.00000E+00,A10=0.00000E+00
第２２面
κ=3.2000,A4=1.10000E-04,A6=0.00000E+00,A8=1.50000E-07,A10=0.00000E+00
［可変間隔データ］
広角端状態  広角側中間焦点距離状態  望遠側中間焦点距離状態  望遠端状態
（無限遠）          （無限遠）          （無限遠）          （無限遠）
ｆ        4.61               11.41               28.53               80.50
Ｄ１      0.6000              6.9000             15.1769             20.9500
Ｄ２     17.2500              8.6000              4.6500              0.7500
Ｄ３      3.3032              8.3132             12.5132             10.7132
Ｄ４      5.6752              4.8799              4.5914             10.6000
Ｄ５      0.3000              0.3000              0.3000              0.3000
ＢＦ      0.4000              0.4000              0.4000              0.4000
ＴＬ     45.9384             47.8031             56.0415             62.1232
［レンズ群焦点距離］
群番号        群初面        群焦点距離（ｆ１〜ｆ５）
G1            1            33.60
G2            6            -5.51
G3           13             9.38
G4           20           -24.90
G5           22            22.72
［条件式対応値］
条件式（１）  ｛Ｄｔ１−（ＴＬｔ−ＴＬｗ）｝／ｆｔ＝0.05919
条件式（２）  ｜ｆ２／（ｆ２＋ｆ１−Ｄｔ１）｜＝0.77014
条件式（３）  （−ｆ４）／ｆ５＝1.09557
条件式（４）  （ｆｗ×ｆｔ）／（ｍｖ３×ｆ３）＝3.20853
条件式（５）  （−ｆ２）／ｆｗ＝1.19339
条件式（６）  ｆ３／（−ｆ４）＝0.37690
条件式（７）  （Ｒｂ−Ｒａ）／（Ｒｂ＋Ｒａ）＝-0.32975
【００８９】
このように本実施例では、上記条件式（１）〜（７）が全て満たされていることが分かる。
【００９０】
図８および図９は、第３実施例に係るズームレンズＺＬ３の諸収差図である。ここで、図８（ａ）は広角端状態（ｆ＝４．６１ｍｍ）における無限遠合焦時の諸収差図であり、図８（ｂ）は広角側の中間焦点距離状態（ｆ＝１１．４１ｍｍ）における無限遠合焦時の諸収差図である。また、図９（ａ）は望遠側の中間焦点距離状態（ｆ＝２８．５３ｍｍ）における無限遠合焦時の諸収差図であり、図９（ｂ）は望遠端状態（ｆ＝８０．５０ｍｍ）における無限遠合焦時の諸収差図である。そして、各収差図より、第３実施例では、広角端状態から望遠端状態までの各焦点距離状態において諸収差が良好に補正され、優れた光学性能を有していることがわかる。その結果、第３実施例のズームレンズＺＬ３を搭載することにより、デジタルスチルカメラＣＡＭにおいても、優れた光学性能を確保することができる。
【００９１】
（第４実施例）
以下、本願の第４実施例について図１０〜図１２および表４を用いて説明する。図１０（ａ）は第４実施例に係るズームレンズＺＬ（ＺＬ４）の広角端状態におけるレンズ構成図であり、図１０（ｂ）は広角側の中間焦点距離状態におけるレンズ構成図である。また、図１０（ｃ）は望遠側の中間焦点距離状態におけるレンズ構成図であり、図１０（ｄ）は望遠端状態におけるレンズ構成図である。第４実施例に係るズームレンズＺＬ４は、光軸に沿って物体側から順に並んだ、全体として正の屈折力を有する第１レンズ群Ｇ１と、全体として負の屈折力を有する第２レンズ群Ｇ２と、全体として正の屈折力を有する第３レンズ群Ｇ３と、全体として負の屈折力を有する第４レンズ群Ｇ４と、全体として正の屈折力を有する第５レンズ群Ｇ５とから構成される。
【００９２】
そして、広角端状態から望遠端状態への変倍（ズーミング）の際、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が増大するように、第１レンズ群Ｇ１と第２レンズ群Ｇ２と第３レンズ群Ｇ３と第４レンズ群Ｇ４とが光軸に沿って移動し、第５レンズ群Ｇ５が光軸上に固定されるように構成される。より詳しくは、ズーミングの際、第１レンズ群Ｇ１が光軸に沿って僅かに像面Ｉ側へ移動してから単調に物体側へ移動し、第２レンズ群Ｇ２が光軸に沿って単調に像面Ｉ側へ移動し、第３レンズ群Ｇ３が光軸に沿って単調に物体側へ移動し、第４レンズ群Ｇ４が光軸に沿って一旦像面Ｉ側へ移動してから物体側へ移動するように構成される。
【００９３】
第１レンズ群Ｇ１は、光軸に沿って物体側から順に並んだ、接合レンズである第１正レンズＬ１１と、物体側に凸面を向けたメニスカス形状の第２正レンズＬ１２とから構成される。第１レンズ群Ｇ１において、第１正レンズＬ１１は、物体側に凸面を向けたメニスカス形状の負レンズと、両凸形状の正レンズとが接合された接合レンズとなっている。第２レンズ群Ｇ２は、光軸に沿って物体側から順に並んだ、両凹形状の第１負レンズＬ２１と、両凹形状の第２負レンズＬ２２と、物体側に凸面を向けたメニスカス形状の正レンズＬ２３とから構成される。
【００９４】
第３レンズ群Ｇ３は、光軸に沿って物体側から順に並んだ、両凸形状の第１正レンズＬ３１と、接合レンズである負レンズＬ３２と、両凸形状の第２正レンズＬ３３とから構成される。第３レンズ群Ｇ３において、第１正レンズＬ３１における両側のレンズ面が非球
面となっている。また、負レンズＬ３２は、両凸形状の正レンズと両凹形状の負レンズとが接合された接合レンズとなっている。なお、第１正レンズＬ３１および第２正レンズＬ３３は単レンズである。
【００９５】
第４レンズ群Ｇ４は、物体側に凸面を向けたメニスカス形状の負レンズＬ４１のみから構成される。第４レンズ群Ｇ４において、負レンズＬ４１における像面Ｉ側のレンズ面が非球面となっている。第５レンズ群Ｇ５は、物体側に凸面を向けたメニスカス形状の正レンズＬ５１のみから構成される。第５レンズ群Ｇ５において、正レンズＬ５１における物体側のレンズ面が非球面となっている。なお、無限遠物体から至近距離物体（有限距離物体）へのフォーカシングは、第４レンズ群Ｇ４を光軸に沿って像面Ｉ側へ移動させることにより行う。
【００９６】
Ｆナンバーを決定する絞りＳは、第２レンズ群Ｇ２と第３レンズ群Ｇ３との間（第３レンズ群Ｇ３の物体側近傍）に配置されており、広角端状態から望遠端状態への変倍（ズーミング）の際、第３レンズ群Ｇ３と同一軌道で移動するようになっている。また、第５レンズ群Ｇ５と像面Ｉとの間に配置されたフィルタ群ＦＬは、ローパスフィルタや赤外カットフィルタ等から構成されている。
【００９７】
下の表４に、第４実施例における各諸元を示す。なお、表４における第１面〜第２３面の曲率半径Ｒは、図１０（ａ）における第１面〜第２３面に付した符号Ｒ１〜Ｒ２３に対応している。また、表４における群番号Ｇ１〜Ｇ５は、図１０における各レンズ群Ｇ１〜Ｇ５に対応している。また、第４実施例において、第１３面、第１４面、第２１面、および第２２面の各レンズ面は非球面形状に形成されている。
【００９８】
（表４）
［全体諸元］
ズーム比＝18.84
広角端状態  広角側中間焦点距離状態  望遠側中間焦点距離状態  望遠端状態
ｆ        4.64               12.68               31.70               87.40
Ｆno      3.51                4.66                5.45                6.81
２ω     83.67°             34.60°             13.93°              5.22°
φ        5.10                5.10                5.10                5.10
Ｙmax     3.40                4.05                4.05                4.05
［レンズ諸元］
面番号      Ｒ            Ｄ          ｎｄ        νｄ
1        39.3873      0.6500      1.80518      25.45
2        23.9078      3.0000      1.49700      81.61
3      -266.1989      0.1000
4        26.8409      1.9000      1.60311      60.69
5       151.0703        D1
6      -102.3937      0.4000      1.80400      46.60
7         5.4970      2.8500
8       -12.4500      0.4500      1.58913      61.22
9        26.3127      0.2000
10       11.6056      1.1500      1.94595      17.98
11       33.5667        D2
12        ∞         -0.4000                            （絞り）
13*       5.2761      1.6000      1.62263      58.19
14*     -74.0558      0.2500
15       10.1889      1.3000      1.51742      52.20
16      -26.6494      0.3000      1.91082      35.25
17        4.9782      0.3200
18        9.1300      1.5500      1.48749      70.31
19       -9.1275        D3
20       13.0047      0.7000      1.53113      55.90
21*       6.9940        D4
22*      13.1500      1.8000      1.53113      55.90
23      166.1631        D5
24        ∞          0.2100      1.5168       63.88
25        ∞          0.4500
26        ∞          0.5000      1.5168       63.88
27        ∞            BF
［非球面データ］
第１３面
κ=0.7891,A4=-2.24721E-04,A6=0.00000E+00,A8=0.00000E+00,A10=0.00000E+00
第１４面
κ=-50.00,A4=3.33514E-04,A6=0.00000E+00,A8=0.00000E+00,A10=0.00000E+00
第２１面
κ=1.2153,A4=0.00000E+00,A6=0.00000E+00,A8=0.00000E+00,A10=0.00000E+00
第２２面
κ=4.5000,A4=1.15000E-04,A6=0.00000E+00,A8=2.00000E-07,A10=0.00000E+00
［可変間隔データ］
広角端状態  広角側中間焦点距離状態  望遠側中間焦点距離状態  望遠端状態
（無限遠）          （無限遠）          （無限遠）          （無限遠）
ｆ        4.64               12.68               31.70               87.40
Ｄ１      0.6303              7.9400             17.3820             23.0003
Ｄ２     18.6500              8.3665              4.7085              0.7500
Ｄ３      2.9000              9.7924             13.5155             10.1000
Ｄ４      6.5220              4.6000              4.3000             12.0912
Ｄ５      0.6000              0.6000              0.6000              0.6000
ＢＦ      0.4000              0.4000              0.4000              0.4000
ＴＬ     48.9823             50.9789             60.1860             66.2215
［レンズ群焦点距離］
群番号        群初面        群焦点距離（ｆ１〜ｆ５）
G1            1            36.15
G2            6            -5.70
G3           13             9.87
G4           20           -29.69
G5           22            26.78
［条件式対応値］
条件式（１）  ｛Ｄｔ１−（ＴＬｔ−ＴＬｗ）｝／ｆｔ＝0.06592
条件式（２）  ｜ｆ２／（ｆ２＋ｆ１−Ｄｔ１）｜＝0.76481
条件式（３）  （−ｆ４）／ｆ５＝1.10879
条件式（４）  （ｆｗ×ｆｔ）／（ｍｖ３×ｆ３）＝3.21287
条件式（５）  （−ｆ２）／ｆｗ＝1.22961
条件式（６）  ｆ３／（−ｆ４）＝0.33258
条件式（７）  （Ｒｂ−Ｒａ）／（Ｒｂ＋Ｒａ）＝-0.30055
【００９９】
このように本実施例では、上記条件式（１）〜（７）が全て満たされていることが分かる。
【０１００】
図１１および図１２は、第４実施例に係るズームレンズＺＬ４の諸収差図である。ここで、図１１（ａ）は広角端状態（ｆ＝４．６４ｍｍ）における無限遠合焦時の諸収差図であり、図１１（ｂ）は広角側の中間焦点距離状態（ｆ＝１２．６８ｍｍ）における無限遠合焦時の諸収差図である。また、図１２（ａ）は望遠側の中間焦点距離状態（ｆ＝３１．７０ｍｍ）における無限遠合焦時の諸収差図であり、図１２（ｂ）は望遠端状態（ｆ＝８７．４０ｍｍ）における無限遠合焦時の諸収差図である。そして、各収差図より、第３実施例では、広角端状態から望遠端状態までの各焦点距離状態において諸収差が良好に補正され、優れた光学性能を有していることがわかる。その結果、第４実施例のズームレンズＺＬ４を搭載することにより、デジタルスチルカメラＣＡＭにおいても、優れた光学性能を確保することができる。
【０１０１】
以上、各実施例によれば、小型でありながら、広角端状態から望遠端状態までのズーム範囲で良好な光学性能を有したズームレンズおよび光学機器（デジタルスチルカメラ）を実現することができる。
【０１０２】
なお、上述の実施形態において、以下に記載の内容は、光学性能を損なわない範囲で適宜採用可能である。
【０１０３】
上述の各実施例において、ズームレンズとして５群構成を示したが、６群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分を示す。
【０１０４】
また、上述の各実施例において、第２レンズ群Ｇ２は、ズーミングの際、光軸に沿って単調に像面Ｉ側へ移動するように構成されているが、これに限られるものではなく、光軸に沿って一旦物体側へ移動してから像面Ｉ側へ移動するように構成されてもよい。また、第３レンズ群Ｇ３は、ズーミングの際、光軸に沿って単調に物体側へ移動するように構成されているが、これに限られるものではなく、光軸に沿って一旦像面Ｉ側へ移動してから物体側へ移動するように構成されてもよい。また、第４レンズ群Ｇ４は、ズーミングの際、光軸に沿って一旦像面Ｉ側へ移動してから物体側へ移動するように構成されているが、これに限られるものではなく、光軸に沿って単調に物体側もしくは像面Ｉ側へ移動するように構成されてもよい。また、第４レンズ群Ｇ４は、ズーミングの際、光軸に沿って物体側および像面Ｉ側へ往復して移動するように構成されてもよい。
【０１０５】
また、上述の各実施例において、第３レンズ群Ｇ３の負レンズＬ３２は、接合レンズとなっているが、これに限られるものではなく、単レンズであってもよい。
【０１０６】
また、単独または複数のレンズ群、または部分レンズ群を光軸方向に移動させて、無限遠物体から近距離物体への合焦を行う合焦レンズ群としてもよい。この合焦レンズ群は、オートフォーカスにも適用することができ、オートフォーカス用の（超音波モーター等を用いた）モーター駆動にも適している。特に、第４レンズ群を合焦レンズ群とするのが好ましい。
【０１０７】
また、レンズ群または部分レンズ群を光軸に垂直な方向の成分を持つように移動させ、または、光軸を含む面内方向に回転移動（揺動）させて、手ブレによって生じる像ブレを補正する防振レンズ群としてもよい。特に、第２レンズ群もしくは第３レンズ群の少なくとも一部を防振レンズ群とするのが好ましい。また、第１レンズ群もしくは第５レンズ群を防振レンズ群とすることも可能である。
【０１０８】
また、レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１０９】
また、開口絞りは第３レンズ群近傍に配置されるのが好ましいが、開口絞りとしての部材を設けずに、レンズの枠でその役割を代用してもよい。
【０１１０】
また、各レンズ面には、フレアやゴーストを軽減し高コントラストの高い光学性能を達成するために、広い波長域で高い透過率を有する反射防止膜を施してもよい。
【０１１１】
また、本実施形態のズームレンズ（変倍光学系）は、変倍比が１８〜３５程度である。
【０１１２】
また、本実施形態のズームレンズ（変倍光学系）をデジタルスチルカメラに使用しているが、これに限られるものではなく、デジタルビデオカメラ等の光学機器にも使用することができる。
【符号の説明】
【０１１３】
ＣＡＭ  デジタルスチルカメラ（光学機器）
ＺＬ  ズームレンズ
Ｇ１  第１レンズ群                      Ｇ２  第２レンズ群
Ｇ３  第３レンズ群                      Ｇ４  第４レンズ群
Ｇ５  第５レンズ群
Ｓ  絞り                                Ｉ  像面
【図１】
0006627220.tif 000002
【図２】
0006627220.tif 000003
【図３】
0006627220.tif 000004
【図４】
0006627220.tif 000005
【図５】
0006627220.tif 000006
【図６】
0006627220.tif 000007
【図７】
0006627220.tif 000008
【図８】
0006627220.tif 000009
【図９】
0006627220.tif 000010
【図１０】
0006627220.tif 000011
【図１１】
0006627220.tif 000012
【図１２】
0006627220.tif 000013
【図１３】
0006627220.tif 000014
【図１４】
0006627220.tif 000015
【図１５】
0006627220.tif 000016